(57)【特許請求の範囲】
【請求項１】
合成樹脂から成る、上端擬餌筒部ａ１と下端擬餌筒部ａ２とを合成樹脂から成る、単数又は複数個の螺旋発条包被柱部ａ３で連設して、中心中央に空室ａ４を形成せしめ、その空室に合成樹脂から成る螺旋発条ａ５を出し入れ自在に収納して擬餌体Ａを構成せしめ、該擬餌体の下端擬餌筒部ａ２を介して合成樹脂から成る螺旋発条ａ５の下端に、ガイドローラ用折曲性支承筒本体Ｂを添着し、ガイドローラ用折曲性支承筒本体Ｂと、下部擬餌筒部ａ２と合成樹脂から成る螺旋発条ａ５と、上部擬餌筒部ａ１との中心中央を介して連結杆１を挿通せしめ、その連結杆の上端に位置する係止鉤２に、上部止環３を着脱自在に係止すると共に、下端に位置する、釣針付け用芯杆連結部４と傘状釣針本体Ｃの連結杆引掛鉤部５とを、ガイドローラ用折曲性支承本体Ｂのほぼ中心に位置して折曲自在に連結して成るイカ釣針。
【請求項２】
前記、上端擬餌筒部ａ１と下端擬餌筒部ａ２と螺旋発条包被柱部ａ３と合成樹脂から成る、螺旋発条ａ５とを透明又は半透明の合成樹脂から、形成したことを特徴とする請求項１のイカ釣針。
【請求項３】
前記、上端擬餌筒部ａ１と下端擬餌筒部ａ２と螺旋発条包被柱部ａ３とを不透明の合成樹脂から形成し、且、合成樹脂から成る螺旋発条ａ５を、透明又は半透明の合成樹脂から構成したことを特徴とする請求項１のイカ釣針。
【請求項４】
前記、上端擬餌筒部ａ１と下端擬餌筒部ａ２と螺旋発条包被柱部ａ３とを透明又は半透明の合成樹脂から形成し、且、合成樹脂から成る螺旋発条ａ５を、不透明の合成樹脂から構成したことを特徴とする請求項１のイカ釣針。
【請求項５】
前記、上端擬餌筒部ａ１と下端擬餌筒部ａ２と螺旋発条包被柱部ａ３と、合成樹脂から成る螺旋発条ａ５とを不透明の合成樹脂から、形成したことを特徴とする請求項１のイカ釣針。
【請求項６】
前記、合成樹脂から成る螺旋発条ａ５を断面角型形状に、成形したことを特徴とする請求項１のイカ釣針。
【発明の詳細な説明】
【０００１】
【発明の属する技術分野】
本発明は、イカ釣針の改良に関する。
【０００２】
【従来の技術】
通常、イカ釣針は擬餌体と傘状釣針本体とから成るを基本とするが、イカの機械釣用釣針は加えて、擬餌体と弾性質支承筒と傘状釣針本体等の部品から成るもので、その一先行例を示せば、実公昭４１〜５１８３号公報（以下第一先行技術と略称する。）が挙げられる。
【０００３】
次に、第一先行技術を改良したものとしての弾性質支承筒の作用を二分割して、擬餌体と弾性体と弾性質支承筒と傘状釣針とから成るイカ釣針の先行技術例えば、実公昭５８−１４８６６号公報（以下第二先行技術と略称する。）がある。
【０００４】
又、イカ釣針の擬餌体の改良考案としての先行技術文献としては、実公昭５３−３６９４９号、実公昭５７−１２８３２号並びに、実公昭５９−１２０６１号等の公報（以下第三先行技術群と略称する。）があるが、その要約して説明をすれば、擬餌体全体を螺旋状にして第一又は第二先行技術の弾性体と支承筒を不用のものとして擬餌自身に弾性質と支承筒の作用をもたせ、イカの機械釣りにおけるガイドローラ等に対して馴染み易い技術を公開しているものである。
【０００５】
更に、その第三先行技術群の螺旋状の擬餌体を改良し、螺旋状の擬餌体にかえ竹の子バネ状にしてガイドローラに馴染み、釣糸のからみも生じない先行技術文献がある。その文献は、実公昭６１−２４０６５号公報（以下第四先行技術と略称する。）である。
【０００６】
加えて、イカの機械釣りは釣船から集魚灯を海中に投光して釣るものであるが、その光は船舷より外側部分を照らし、船の下側部分の海中には入らず、従って船の下側部分は暗い。その暗い部分に主として、イカ釣り用仕掛けは、船上より降ろされイカに擬餌体が見きわめにくいものであった。その見きわめにくい状態を解消すべく擬餌体の一側面より、他側面に光が透過するように透孔を設け、擬餌体が暗い部分に位置していても、その存在を反対側から透過する光によって知らされ好収穫を得ている先行技術文献がある。その代表的な技術文献は、実公昭６０−２６６２５号公報（以下第五先行技術と略称する。）である。
【０００７】
且又、先行技術例として本件特許出願人、並びに発明者を同一とする別途特許出願、平成１１年特許願第８４４４９号（以下第一先願例と略称する。）がある。その発明の要旨とするところは、「合成樹脂から成る上端筒部と下端筒部とを合成樹脂から成る複数個の柱部で連設して、中心中央に空室を形成せしめ、その空室に前記、上端筒部の下端より、同一体に合成樹脂から成る螺旋発条を垂下せしめて成るイカ釣針の擬餌体」と加えて空室に、合成樹脂から成る螺旋発条を挿入し得るようにして成る擬餌体とがあり、更に、加えて上記、擬餌体に傘状釣針部を組み合わせた数種のイカ釣針の発明がある。
【０００８】
上記、同様に先行技術例として、本件特許出願人並びに発明者を同一とする別途特許出願、平成１１年６月７日附、整理番号ＡＰ００１５（以下第二先願例と略称する。）があるが、その発明の要旨とするところは、合成樹脂から成る紡錘形の擬餌筒本体において、該擬餌筒本体の一部である擬餌側壁と上部擬餌筒部と下部擬餌筒部とを残して、中心中央に出入口を備えた弾性体収納空室を設け、その弾性体収納空室に、中空状弾性体を出入り自在に収納して成る擬餌体に傘状釣針部を組み合わせたイカ釣針の発明もある。
【０００９】
更に加えて、弾性体を二重に使用したイカ釣針の先行技術として、実公昭４７−１９２７９号公報（以下第六先行技術と略称する。）がある。その考案の要旨とするところは、擬餌体の下端内部に挿入口を穿設し、この孔に螺旋発条を挿入すると共に、弾性筒を嵌合して成るイカ釣針の技術である。
【００１０】
【発明が解決しようとする課題】
さて、先行技術における課題であるが、まず、第一先行技術と第二先行技術は、擬餌体が一部品から形成しているため、異なる複数色から成る擬餌体が得られず、イカの好みに合わず多量の漁獲を得ることが出来ない課題（以下第一課題と略称する。）がある。
【００１１】
加えて、擬餌体が一部品であり、表面に凹凸面がないから全体又一部に光の乱反射作用が生じることなく、この面からイカに目立つ擬餌ともならない課題（以下第二課題と略称する。）もある。
【００１２】
更に、擬餌体に光透過孔がないため、暗い海中にあって集魚灯の投光を透過することがなく、目立つ擬餌になり得ない課題（以下第三課題と略称する。）もあるものである。
【００１３】
更に加えて、イカがイカ釣針に抱き付いたとき、支承筒と傘状釣針との部分で折曲し、イカが傘状釣針に完全にかからず釣り落す課題（以下第四課題と略称する。）がある。
【００１４】
次に、第三先行技術群であるが、これは擬餌体を螺旋状としているため弾性体も支承筒も必要としないものでありが、機械釣りにおける捲取りドラムに釣糸とイカ釣針を捲取ると、そのイカ釣針の擬餌体が螺旋状であるため、その螺旋間に釣糸が入り込み絡み合い釣漁ができない課題（以下第五課題と略称する。）があり、従って機械釣りに不向きのイカ釣針である。しかも擬餌体に必ずしも横方向の光透過でないので海中にあってイカに目立つ擬餌となり得ない第三課題もあり、加えて擬餌体が螺旋状で曲がり易く、又、擬餌体と傘状釣針とは直接に接しているため容易にその部分も折曲し易く、従ってイカがイカ釣針に抱付いたとき全体的に折曲しやすいものであるから、イカが傘状釣針に掛かりにくく釣落す第四課題もある。
【００１５】
更に、第四先行技術は擬餌体を竹の子バネ状としているものであるが、擬餌体を竹の子バネ状であるから弾力があり、弾性体と支承筒を必要としないが竹の子の上部が機械釣りのとき、そのガイドローラに突き当たり、全体が伸縮してしまい分解する課題と竹の子状に着いた最後の部分が露出しているため、捲取ドラムに釣糸とイカ釣針とを捲取るとき、その最後の部分に釣糸が絡み、これも釣漁ができなくなる第五課題がある。加えて、擬餌体が竹の子バネで容易に曲がり易く、又、擬餌体と傘状釣針とは直接に接しているため、その部分でも折曲し、従ってイカ釣針にイカが抱付いたとき、全体的に折曲し易いものであるから、イカが傘状釣針に係りにくく釣落とす第四課題もある。しかも擬餌体は単純な竹の子バネ状物だから光透過がなく、海中にあってイカに目立つ擬餌体となり得ない第三課題もある。
【００１６】
且又、第五先行技術は擬餌体に一側面より他側面に光が透過する透孔を設けたことを特徴とする技術であるが、他は従来技術のイカ釣針とほぼ同じで、擬餌体は一部品から形成しているため、異なる複数色から成る擬餌体が得られず、これも第一課題がある。
【００１７】
加えて、第五先行技術は擬餌体に光の透過する透孔を設けたもので、必ずしもレズ作用を有するものではなく投光される光の乱射作用がなく、第二課題も生じるものである。もし光の乱射作用が生じるとすれば、擬餌体表面に凹凸面があることになり、それは機械釣りにおける捲取りドラムに釣糸とイカ釣針とを捲取ると、その凹凸面に釣糸が入り込み絡み合い、釣漁ができない第五課題が生じることとなり、いずれにしても第二課題か第五課題が生じることになる。
【００１８】
しかも、この第五先行技術におけるパッキング（弾性体）は直接ガイドローラに接し、且、ガイドローラに馴染むように左右に折曲自在になるものであると共に、イカ釣針の組立分解時にパッキングは作業者の腕力で、具体的には、略５ｍｍ程度押し潰され得る圧縮強度のやや弱めのものが求められ、又、機械釣りにおいては、激しい力と接触回数の激しさとで、ガイドローラに接するための強度の強いものが求められるものである。しかし、パッキングをガイドローラに長期的に対応出来るように折曲強度を上げれば作業者の腕力では、そのパッキングを上下に押し潰すことが出来ず、イカ釣針の組立分解作業が不能となる、かと言ってイカ釣針の組立分解を容易にしようとして、パッキングの圧縮強度を弱くすれば、ガイドローラに対する長期使用の耐久性に耐えられない（俗にへたりと言う）課題（以下第六課題と略称する。）が生じるものである。
【００１９】
しかも、そのパッキングでは折曲し易いので、イカがイカ釣針に抱付いたとき擬餌体とパッキングのところで折し曲がり、イカが傘状釣針に引っかかりにくい第四課題もあるものである。
【００２０】
次に、第六先行技術であるが、これは螺旋発条と弾性筒を用いた点を技術的特徴とするもので、その二部品は上下に重ね合わせた構造を採用している。このため両者は常に反撥し合い、少しでも外力が加われば一方が弾性強度が強く他方が弱い場合において、その弱い方にへたりが生じる課題があり、この技術は弾性筒がガイドローラに接し、折曲するものであるから弾性筒が弾性強度が弱い場合は、激しい力と回転数で接するので弾性筒にへたりが生じ、第六課題が問題となり、逆に弾性筒が螺旋発条より弾性強度が高い場合には、螺旋発条にへたりが発生し、やはり第六課題が生じて長期使用に耐えるイカ釣針は得られないものである。
【００２１】
しかも、この擬餌体は従来技術に同じであって異色色彩感がなくて第一課題があり、光の乱反射作用もなくて第二課題もあり、光の透孔もなくて第三課題もある。又、イカが傘状釣針に完全にかからず釣落す第四課題もあって、課題の多いイカ釣針の先行技術である。
【００２２】
更に加えて、第一先願例と第二先願例とも、そのイカ釣針としての要部は、擬餌体に支承筒本体を介して傘状釣針本体を備えたイカ釣針で、しかも、その擬餌体内に弾性体、例へば螺旋発条を内包し、その螺旋発条の下面には支承筒本体の上面が接蝕しているため、支承筒本体がガイドローラに接して折り曲がるたびに圧縮力を受け、その螺旋発条がへたる第六課題が生じるおそれがある。
【００２３】
【課題を解決するための手段】
上記、従来技術の課題を解決するために、本発明中、請求項１の発明手段を用いることになるが、まず第一課題の解決には、合成樹脂から成る上端擬餌筒部と下端擬餌筒部とを合成樹脂から成る単数又は複数個の螺旋発条包被柱部で連設して、中心中央に空室を形成せしめて擬餌体の一主要部品となし、これに加えて合成樹脂から成る螺旋発条を別途に製作し、擬餌体の他の要部品とし、先の擬餌体の一要部品と内包合体させて擬餌体を完成化したので、擬餌体の一要部品と他の要部品、合成樹脂から成る螺旋発条と色違いの素材を用いることが可能となる。従って同一素材で多色の擬餌体が得られて第一課題を解決した。
【００２４】
第二課題については、擬餌体の他の要部品である合成樹脂から成る螺旋発条を要いることによって螺旋発条にレンズ作用を持たせ、しかもその効果を上げるための合成樹脂から成る螺旋発条の合成樹脂を、透明又は半透明の素材を選択し、且、断面を四角形にしてプリズ体にすれば、光の反射光が得られるばかりでなく、乱反射光の効果が得られて第二課題も解決するものである。
【００２５】
第三課題については、合成樹脂から成る上端擬餌筒部と下端擬餌筒部とを合成樹脂から成る単数又は複数個の螺旋発条包被柱部で連設して、中心中央に空室を形成し、擬餌体の一要部品と合成樹脂から成る螺旋発条の他の要部品とから構成して成る擬餌体であるから、その一要部品と他の要部品に容易に隙間が出来て、光の透孔と同等の作用が得られ、加えて合成樹脂から成る螺旋発条は、それ自身の形状によって上下に隙間があり、光り透孔の作用をするもので第三課題も解決したものである。
【００２６】
第四課題については、支承筒本体の材料に軟質材でも良いが、特に良い効果を得るため、イカの抱付力程度では折り曲がらず、ガイドローラに接する力では折り曲がる半硬質材を用いるか、又、構成的に硬質材、例えば金属製の支承筒本体を用い、この金属製の支承筒本体の下端を、傘状釣針部の上端である釣針の頂面に嵌合して、ガイドローラ用折曲性支承筒本体とし、イカがイカ釣針に抱付いても折曲せず、イカが傘状釣針に引っかかるようにし第四課題も解決した。
【００２７】
第五課題については、合成樹脂から螺旋発条を擬餌体の外面の一部に利用しているが、上端擬餌筒部と下端擬餌筒部とを連設に、単数又は複数個の螺旋発条包被柱部を用いることによって、機械釣りにおける捲取りドラムに釣糸とイカ釣針と捲きとっても、その釣糸が合成樹脂から成る螺旋発条の隙間に入ることなく釣糸の絡み合いがない。従って第五課題も以上のように解決しているものである。
【００２８】
第六課題については、ガイドローラ用折曲性支承筒本体を採用することによって解決した。具体的には、一つは支承筒本体の材料に非弾性体で柔軟性あるものを選択し、ガイドローラ折曲性支承筒本体がガイドローラに接した場合に折曲するのであるが、その折り曲がりによって生じる力を上下動に逃げるのではなく、左右に逃げるようにし、合成樹脂から成る螺旋発条には力が及ばず、へたりの原因が生じない構造で第六課題を解決したものである。その二つはガイドローラ折曲性支承筒本体の材質に硬質材を用いる場合で、その支承筒本体と合成樹脂から成る螺旋発条の間に、その螺旋発条より弱い弾力の弾性体を介在せしめ、且、ガイドローラ折曲性支承筒本体の下端を傘状釣針部の上端に着脱自在に嵌合せしめ、イカの抱付き程度の力では折曲せず、ガイドローラに接した場合にのみ、その傘状釣針部の上端とガイドローラ折曲性支承筒本体の下端のところで折り曲がり、ガイドローラに馴染み、且又、その折り曲がりのためガイドローラ折曲性支承筒本体の上部が擬餌体に入り込むが、その支承筒本体の上端にある弾性力の弱い弾性体のところで入り込んだ、その支承筒本体の力を吸収し、合成樹脂から成る螺旋発条になんの影響もなく、その螺旋発条にへたりが生じる原因を防止し、このようにして第六課題を解決したものである。
この第六課題の解決の要点は、要するに組立分解時に必要とする弾性質とガイドローラに接する場合の折曲質の要求に対し、従来は一つの支承筒本体で両者を処理していたものを、分離して処理するようにして解決したものである。
【００２９】
【発明の実施の形態】
以下、本発明の実施の形態を図面を参照しながら説明する。まず、本発明の請求項１の発明における、イカ釣針の実施の形態を説明するに、図１乃至６、図１２乃至１６、並びに図２２乃至２７に示す擬餌体Ａは、合成樹脂から成る上端擬餌筒部ａ１と下端擬餌筒部ａ２とを合成樹脂から複数個の螺旋発条包被柱部ａ３で連設して、中心中央に空室ａ４を形成せしめ、その空室に合成樹脂から成る螺旋発条ａ５を出入り自在に収納して、擬餌体Ａを使用した実施の形態であり、図７乃至１１、並びに図１７乃至２１に示す擬餌体Ａは、合成樹脂から成る上端擬餌筒部ａ１と下端擬餌筒部ａ２とを合成樹脂から成る単数個の螺旋発条包被柱部ａ３で連設して、中心中央に空室ａ４を形成せしめ、その空室に合成樹脂から成る螺旋発条ａ５を出し入れ自在に収納して擬餌体Ａを構成した実施の形態である。これら擬餌体Ａを用い、その擬餌体の下端擬餌筒部ａ２を介して、合成樹脂から成る螺旋発条ａ５の下端にガイドローラ用折曲性支承筒本体Ｂを添着し、そのガイドローラ用折曲性支承筒本体と、下部擬餌筒部ａ２と合成樹脂から成る螺旋発条ａ５と、上部擬餌筒部ａ１との中心中央を介して、連結杆１を挿通せしめ、その連結杆の上端に位置する係止鉤２に、上部止環３を着脱自在に係止すると共に、下端に位置する釣針付け用芯杆連結部４と、傘状釣針本体Ｃの連結杆引掛鉤部５とをガイドローラ用折曲性支承筒本体Ｂの、ほぼ中心に位置して、折曲自在に連結したイカ釣針である。
【００３０】
又、ガイドローラ用折曲性支承筒本体Ｂの構成は、代表的な図面で示せば、図１、１２、並びに２２であり、図１に示すものは上下に圧縮しない左右に折り曲がるガイドローラ用折曲性支承筒本体Ｂであり、又、図１２に示すものは円筒形状で上下に圧縮せず、左右に折り曲がる性質のガイドローラ用折曲性支承筒本体Ｂである。且又、図２３に示すものは、バネ体ｂ３と補助筒ｂ２と硬質材、例えば金属筒ｂ１を組み合わせて構成したガイドローラ用折曲性支承筒本体Ｂであり、これらのガイドローラ用折曲性支承筒本体Ｂを自由に選択して使用するものである。
【００３１】
傘状釣針本体Ｃの構成は、芯軸６の溝部に釣針付け用芯杆７をローマ字のＣ状に巻き付け、上部に連結杆引掛鉤部５を形成し、下部は下部止環受部８とし、その下部止環受部には座金９を介して下部止環１０を係合すると共に、釣針付け用芯杆７の上端より、固定リング１１に結束された傘状釣針１２を補助座金１３を介して一段又は二段、必要によっては三段重ねに挿入して構成するものである。
【００３２】
次に、擬餌体Ａの製造方法は合成樹脂から成る螺旋発条ａ５を除いた螺旋発条包被柱部ａ３と、上部擬餌筒部ａ１と下部擬餌筒部ａ２とを一体に合成樹脂を用いて射出成形機で作り上げるものであり、そこには同時に空室ａ４が形成されるものでもある。その合成樹脂は熱可塑性合成樹脂であれば、例えばポリカーボネートを用い、熱硬化性樹脂では例えば尿素樹脂を主として用いるものである。着色剤は、イカが好むものを選択使用する。又、ポリカーボネートの合成樹脂の場合は、透明又は半透明の選択することも出来て、その目的に応じて用いるもので
ある。
【００３３】
更に、合成樹脂から螺旋発条ａ５の製造方法であるが、これも射出成形機で作り、その形状は断面四角形にして螺旋発条ａ５に成形する。その素材は熱可塑性合成樹脂であれば、例えばポリカーボネートを用い、熱可塑性樹脂では、例えば尿素樹脂を主として用いるものである、着色剤はイカが好むものを選択使用する。又、ポリカーボネートの合成樹脂の場合には、透明又は半透明の選択することも出来て、目的に応じて選択使用するものである。
【００３４】
従って、合成樹脂から成る螺旋発条ａ５を除いた螺旋発条包被柱部ａ３と、上部擬餌筒部ａ１と下部擬餌筒部ａ２とを一体にした、一構成の要部品である擬餌体Ａと同様、合成樹脂から成る螺旋発条ａ５とが別途に製造して組み合わせるものであるから、両者は素材の選択が自由で、その組み合わせによって多色、又は、光反射性の擬餌体Ａを構成し得てそれを利用するものである。
【００３５】
加えて、合成樹脂から成る螺旋発条ａ５の安定のため、その上面に安定凸部１６を突設し、上部擬餌筒部ａ３の下端面に安定凹部受溝１７を設けて、その安定凹部受溝と安定凸部１６を嵌合して着脱自在に固定する。
【００３６】
又、ガイドローラ用折曲性支承筒本体Ｂについて、凸状と円筒形状のものは折曲自在な半硬質の合成樹脂の素材を選択使用し、バネ体ｂ３と補助筒ｂ２と金属筒ｂ１で構成するものにあっては、バネ体ｂ３は金属製のバネを利用し、補助筒ｂ２は硬質合成樹脂を用いる。その下端に下雄部ｅ２を設け、且、金属筒ｂ１の上端には上雌部ｅ２に成形してこれらを嵌合して一体にするか、又は補助筒ｂ２を除いて金属筒ｂ１のみであってもよい、且又、バネ体ｂ３は合成樹脂から成る螺旋発条ａ５と補助筒ｂ２、又は金属筒ｂ１との中間に位置せしめるものである。
【００３７】
【実施例】
本発明、請求項１の発明の実施例を図面に基づいて説明するに、まず、実施例Ｉは図１乃至６で示すもので、具体的には合成樹脂から成る上端擬餌筒部ａ１と下端擬餌筒部ａ２と中心中央に空室ａ４を形成せしめ、その空室に断面四角形の合成樹脂から成る螺旋発条ａ５を出し入れ自在に収納して、擬餌体Ａを構成せしめ、該擬餌体の下端擬餌筒部ａ２を介して螺旋発条ａ５の下端に凸状のガイドローラ用折曲性支承筒本体Ｂを添着し、凸状のガイドローラ用折曲性支承筒本体Ｂと、下部擬餌筒部ａ２と螺旋発条ａ５と上部擬餌筒部ａ１との中心中央を介して連結杆１を挿通せしめ、その連結杆の上端に位置する係止鉤２に、上部止環３を着脱自在に係止すると共に、下端に位置する釣針付け用芯杆連結部４と、傘状釣針本体Ｃの連結杆引掛鉤部５とを、凸状のガイドローラ用折曲性支承筒本体Ｂのほぼ中心に位置して、折曲自在に連結して成るイカ釣針である。
【００３８】
実施例ＩＩは、図７乃至１１で示すもので合成樹脂から成る上端擬餌筒部ａ１と、下端擬餌筒部ａ２とを合成樹脂から成る単数個の螺旋発条包被柱部ａ３で連設して、中心中央に空室ａ４を形成せしめ、その空室に合成樹脂から成る螺旋発条ａ５を出し入れ自在に収納して擬餌体Ａを構成せしめ、該擬餌体の下端擬餌筒部ａ２を介して、螺旋発条ａ５の下端に凸状のガイドローラ用折曲性支承筒本体Ｂを添着し、凸状のガイドローラ用折曲性支承筒本体Ｂと、下部擬餌筒部ａ２と螺旋発条ａ５と上部擬餌筒部ａ１との中心中央を介して、連結杆１を挿通せしめ、その連結杆の上端に位置する係止鉤２に上部止環３を着脱自在に係止すると共に、下端に位置する釣針付け用芯杆連結部４と傘状釣針本体Ｃ連結杆引掛鉤部５とを、凸状のガイドローラ用折曲性支承筒本体Ｂのほぼ中心に位置して、折曲自在に連結して成るイカ釣針である。
【００３９】
実施例ＩＩＩは、図１２乃至１６で示すもので、要旨は合成樹脂から成る上端擬餌筒部ａ１と、下端擬餌筒部ａ２とを合成樹脂から成る複数個の螺旋発条包被柱部ａ３で連設して、中心中央に空室ａ４を形成せしめ、その空室に合成樹脂から成る螺旋発条ａ５を出し入れ自在に収納して擬餌体Ａを構成せしめ、該擬餌体の下端擬餌筒部ａ２を介して、螺旋発条ａ５の下端に円筒形状のガイドローラ用折曲性支承筒本体Ｂを添着し、円筒形状のガイドローラ用折曲性支承筒本体Ｂと、下部擬餌筒部ａ２と螺旋発条ａ５と上部擬餌筒部ａ１との中心中央を介して連結杆１を挿通せしめ、その連結杆の上端に位置する係止鉤２に、上部止環３を着脱自在に係止すると共に、下端に位置する釣針付け用芯杆連結部４と、傘状釣針本体Ｃの連結杆引掛鉤部５とを円筒形状のガイドローラ用折曲性支承筒本体Ｂのほぼ中心に位置して、折曲自在に連結して成るイカ釣針である。
【００４０】
実施例ＩＶは、図１７乃至２１で示すもので、合成樹脂から成る上端擬餌筒部ａ１と下端擬餌筒部ａ２とを合成樹脂から成る単数の螺旋発条包被柱部ａ３を連設して、中心に空室ａ４を形成せしめ、その空室に合成樹脂から成る螺旋発条ａ５を出し入れ自在に収納して、擬餌体Ａを構成せしめ、該擬餌体の下端擬餌筒部ａ２を介して、螺旋発条ａ５の下端に円筒形状のガイドローラ用折曲性支承筒本体Ｂを添着し、円筒形状のガイドローラ用折曲性支承筒本体Ｂと、下部擬餌筒部ａ４と螺旋発条ａ５と上部擬餌筒部ａ１との中心中央を介して連結杆１を挿通せしめ、その連結杆の上端に位置する係止鉤２に、上部止環３を着脱自在に係止すると共に、下端に位置する釣針付け用芯杆連結部４と傘状釣針本体Ｃの連結杆引掛鉤部５とを、円筒形状のガイドローラ用折曲性支承筒本体Ｂのほぼ中心に位置して折曲自在に連結して成るイカ釣針である。
【００４１】
実施例Ｖは、図２２乃至２７に示すもので、具体的には合成樹脂から成る上端擬餌筒部ａ１と、下端擬餌筒部ａ２とを合成樹脂から成る複数個の螺旋発条包被柱部ａ３で連設して、中心中央に空室ａ４を形成せしめ、その空室に合成樹脂から成る螺旋発条ａ５を出し入れ自在に収納して擬餌体Ａを構成せしめ、該擬餌体の下端擬餌筒部ａ２を介して、螺旋発条ａ５の下端にバネ体ｂ３と補助筒ｂ２と金属筒ｂ１から成るガイドローラ用折曲性支承筒本体Ｂを添着し、金属筒ｂ１と補助筒ｂ２とバネ体ｂ３から成るガイドローラ用折曲性支承筒本体Ｂと、下部擬餌筒部ａ２と螺旋発条ａ５と上部擬餌筒部ａ１との中心中央を介して連結杆１を挿通せしめ、その連結杆の上端に位置する係止鉤２に上部止環３を着脱自在に係止すると共に、下端に位置する釣針付け用芯杆連結部４と傘状釣針本体Ｃの連結杆引掛鉤部５とを、金属筒ｂ１と補助筒ｂ２とバネ体ｂ３と、ガイドローラ用折曲性支承筒本体Ｂのほぼ金属筒ｂ１の下端に位置して折曲自在に連結し、且、前記、ガイドローラ用折曲性支承筒本体Ｂの金属筒ｂ１の下端凹部ｄ１と、傘状釣針本体Ｃの上端凸部ｄ２とを嵌着脱離自在にして成るイカ釣針である。
【００４２】
次に、本発明の請求項１の発明を作用と共に使用例を説明するに、実施例Ｉ乃至ＩＶのイカ釣針は数拾本のイカ釣針を釣糸１８で継ぐと共に、最末端には錘を固着して重量大なるものとし、これも図６に示す様に、ガイドローラ１４に接する場合を説明すれば、ガイドローラ用折曲性支承筒本体Ｂのところで折り曲がり、その折り曲がりのために生じる変形量分は、左右にふくらんで吸収し、上下動には変化なく、従ってガイドローラ用折曲性支承筒本体Ｂによっては合成樹脂から成る螺旋発条ａ５には、なんら影響がなくへたりなど生じる余地がない。
【００４３】
重ねて、実施例Ｖのイカ釣針の作用と使用例を説明すれば、まず多数のイカ釣針を釣糸１８で継ぎ、最末端には錘を固定するもので重量大なるものである。これがガイドローラ１４に接した場合について、図２７で説明すればガイドローラ用折曲性支承筒本体Ｂは、バネ体ｂ３と補助筒ｂ２と金属筒ｂ１とから構成し、しかも、その金属筒ｂ１の下端凹部ｄ１と傘状釣針本体Ｃの上端凸部ｄ２とを嵌着脱離自在にしてあるので、ガイドローラ１４に接すれば、下端凹部ｄ１と上端凸部ｄ２のところで折り曲がり、擬餌体Ａ全体はガイドローラ１４に馴染み、そのとき金属筒ｂ１は上昇するが、その上にあるバネ体ｂ３は弾性弱度の弱いものを使用してあるので、その上昇分はそのバネ体ｂ３のところで吸収し、従ってガイドローラ用折曲性支承筒本体Ｂによっては、合成樹脂から成る螺旋発条ａ５にはなんの影響もなく、その螺旋発条にへたりなど生じる余地がない。
【００４４】
更に、本発明請求項１の発明のイカ釣針に関する組立分解を実施例１を中心に説明するに、まず、組立について傘状釣針１２を備えた傘状釣針本体Ｃの連結杆引掛鉤部５に、連結杆１の釣針付け用芯杆連結部４を折曲自在に係合する。次に、その連結杆に上端より、補強座金１５とガイドローラ用折曲性支承筒本体Ｂと擬餌体Ａを順次挿入し、加えて擬餌体Ａの下端擬餌筒部ａ２に、頭部が凸状から成るガイドローラ用折曲性支承筒本体Ｂの頭部に嵌合する。更に加えて、擬餌体Ａの螺旋発条包被柱部ａ３に力を加えて、合成樹脂から成る螺旋発条ａ５を圧縮して擬餌体Ａの上端擬餌筒部ａ１の頂面より、連結杆１の上端に備えた係止鉤２を突き出し、その係止鉤に上部止環３を係止して、合成樹脂から成る螺旋発条ａ５の圧縮を解除してイカ釣針の組立作業は完成する。
【００４５】
続いて、イカ釣針の分解について説明するに、これは組立作業とは反対作業となり、螺旋発条包被柱部ａ３に力を加えて合成樹脂から成る螺旋発条ａ５を圧縮して、擬餌体Ａの上端擬餌筒部ａ１の頂面より、連結杆１の上端に備えた係止鉤２を突き出し、その係止鉤に係止している上部止環３を外し、次に順次連結杆１より、擬餌体Ａ、ガイドローラ用折曲性支承筒本体Ｂ、補強座金１５をはずし、最後に連結杆１の釣針付け用芯杆連結部４より、傘状釣針本体Ｃの連結杆引掛鉤部５を分離して、分解作業が終わるものである。
【００４６】
【発明の効果】
本発明、請求項１の発明は合成樹脂から成る上端擬餌筒部と下端擬餌筒部とを合成樹脂から成る、単数又は複数個の螺旋発条包被柱部で連設して中心中央に空室を形成せしめ、その空室に合成樹脂から成る螺旋発条を出し入れ自在に収納して擬餌体を構成せしめ、該擬餌体の下端擬餌筒部を介して合成樹脂から成る螺旋発条の下端に、ガイドローラ用折曲性支承筒本体を添着し、ガイドローラ用折曲性支承筒本体と、下部擬餌筒部と合成樹脂から成る螺旋発条と、上部擬餌筒部との中心中央を介して連結杆を挿通せしめ、その連結杆の上端に位置する係止鉤に、上部止環を着脱自在に係止すると共に、下端に位置する、釣針付け用芯杆連結部と傘状釣針本体の、連結杆引掛鉤部とをガイドローラ用折曲性支承筒本体のほぼ中心に位置して、折曲自在に連結して成るイカ釣針であるから、合成樹脂から成る螺旋発条と、他の擬餌体部分とを異なる色彩をもって構成することができて、イカに好食感をもたせて漁獲量を高める効果がある。
【００４８】
加えて、合成樹脂から成る上端擬餌筒部と下端擬餌筒部とを空室を形成し、擬餌体の一要部品と合成樹脂から成る螺旋発条の他の要部品とから構成して成る擬餌体であるから、その一要部品と他の要部品に容易に隙間ができて、光の透孔と同等の作用が得られ、加えて合成樹脂から成る螺旋発条は、それ自身の形状によって上下に隙間がある光の透孔の作用をするもので、この点からもイカの漁獲量を高め効果を生じるイカ釣針である。
【００４９】
更に、ガイドローラ用折曲性支承筒本体に、折曲性のある半硬質材を選択してガイドローラに馴染ませるか、又は、金属筒と補助筒とバネ体とからガイドローラ用折曲性支承筒本体を構成し、その金属筒の下端凹部と傘状釣針本体の上端凸部に嵌着脱離自在とすることによって、イカがイカ釣針に抱き付いたとき、ガイドローラが折り曲がることなくイカの釣り落しのない効果も有するものである。
【００５０】
次に、擬餌体の外面に合成樹脂から成る螺旋発条を備えているが、螺旋発条包被柱部を備えているから、機械釣りにおける捲取りドラムに捲取る際に、釣糸やイカ釣針が合成樹脂から成る螺旋発条に絡み合うことなく、正常にイカ釣りが可能な効果もある。
【００５１】
更に、加えてガイドローラ用折曲性支承筒本体の材料に、非弾性体で柔軟性のあるものを選択し使用すれば、ガイドローラに接した場合に、その折り曲がりによって生じる力を上下動に逃げるのではなく、左右に逃げるようになり、合成樹脂から成る螺旋発条には力が及ばず、その合成樹脂から成る螺旋発条にへたりが生じない、又、ガイドローラ用折曲性支承筒本体を金属筒と補助筒とバネ体とから構成し、そのバネ体の弾性力を合成樹脂から成る螺旋発条より、弱いものを用いればガイドローラで折り曲がっても、そのバネ体が上下動する力を吸収し、これまた合成樹脂から螺旋発条に力が掛からず、へたりが生じない効果を有し、耐久性の高いイカ釣針が得られる。
【００５２】
従って、擬餌体の全部分が合成樹脂で作ることが可能で、製作容易であり、しかも、その表面一部に螺旋発条を備えることが出来て、擬餌として種々の効果が発生し、イカの漁獲量を高める効果大なイカ釣針の発明である。
【図面の簡単な説明】
【図１】本発明請求項１の実施例１における縦断正面図である。
【図２】図１の縮尺に示す分解縦断正面図である。
【図３】図１に示してあるＮ−Ｎ線に沿って接断した横断端面の平面図である。
【図４】図１に示してあるＯ−Ｏ線に沿って切断した横断端面の平面図である。
【図５】図１に示してあるＰ−Ｐ線に沿って切断した横断端面の平面図である。
【図６】図１に示すイカ釣針のガイドローラに接した状態を示す正面図である
【図７】本発明請求項１の発明における実施例ＩＩの縦断正面図である。
【図８】図７の縮尺した分解縦断正面図である。
【図９】図７に示してあるＲ−Ｒ線に沿って切断した横断端面の平面図である。
【図１０】図７に示してあるＳ−Ｓ線に沿って切断した横断端面の平面図である。
【図１１】図７に示してあるＴ−Ｔ線に沿って切断した横断端面の平面図である。
【図１２】本発明請求項１の発明における実施例ＩＩＩの縦断正面図である。
【図１３】図１２の縮尺した分解縦断正面図である。
【図１４】図１２に示してあるＵ−Ｕ線に沿って切断した横断端面の平面図である。
【図１５】図１２に示してあるＶ−Ｖ線に沿って切断した横断端面の平面図である。
【図１６】図１２に示してあるＷ−Ｗ線に沿って切断した横断端面の平面図である。
【図１７】本発明請求項１の発明における実施例ＩＶの縦断正面図である。
【図１８】図１７の縮尺した分解縦断正面図である。
【図１９】図１７に示してあるＫ−Ｋ線に沿って切断した横断端面の平面図である。
【図２０】図１７に示してあるＬ−Ｌに沿って切断した横断端面の平面図である。
【図２１】図１７に示してあるＭ−Ｍ線に沿って切断した横断端面の平面図である。
【図２２】本発明請求項１の発明における実施例Ｖの縦断正面図である。
【図２３】図２２の縮尺した分解縦断正面図である。
【図２４】図２２に示してあるＸ−Ｘ線に沿って切断した横断端面の平面図である。
【図２５】図２２に示してあるＹ−Ｙ線に沿って切断した横断端面の平面図である。
【図２６】図２２に示してあるＺ−Ｚ線に沿って切断した横断端面の平面図である。
【図２７】図２２に示すイカ釣針のガイドローラに接した状態を示す正面図である。
【符号の説明】
Ａ  ：擬餌体
ａ１：上端擬餌筒部
ａ２：下端擬餌筒部
ａ３：螺旋発条包被柱部
ａ４：空室
ａ５：合成樹脂から成る螺旋発条
Ｂ  ：ガイドローラ用折曲性支承筒本体
ｂ１：金属筒
ｂ２：補助筒
ｂ３：バネ体
Ｃ  ：傘状釣針本体
ｄ１：下端凹部
ｂ２：上端凸部
ｅ１：下雄部
ｅ２：上雌部
１  ：連結杆
２  ：係止鉤
３  ：上部止環
４  ：釣針付け用芯杆連結部
５  ：連結杆引掛鉤部
６  ：芯軸
７  ：釣針付け用芯杆
８  ：下部止環受部
９  ：座金
１０：下部止環
１１：固定リング
１２：傘状釣針
１３：補助座金
１４：ガイドローラ
１５：補強座金
１６：安定凸部
１７：安定凹部受溝
１８：釣糸
【図１】
0004129340.tif 000002
【図３】
0004129340.tif 000003
【図４】
0004129340.tif 000004
【図５】
0004129340.tif 000005
【図２】
0004129340.tif 000006
【図６】
0004129340.tif 000007
【図７】
0004129340.tif 000008
【図９】
0004129340.tif 000009
【図１０】
0004129340.tif 000010
【図１１】
0004129340.tif 000011
【図８】
0004129340.tif 000012
【図１２】
0004129340.tif 000013
【図１４】
0004129340.tif 000014
【図１５】
0004129340.tif 000015
【図１６】
0004129340.tif 000016
【図１３】
0004129340.tif 000017
【図１７】
0004129340.tif 000018
【図１９】
0004129340.tif 000019
【図２０】
0004129340.tif 000020
【図２１】
0004129340.tif 000021
【図１８】
0004129340.tif 000022
【図２２】
0004129340.tif 000023
【図２４】
0004129340.tif 000024
【図２５】
0004129340.tif 000025
【図２６】
0004129340.tif 000026
【図２３】
0004129340.tif 000027
【図２７】
0004129340.tif 000028